(57)【要約】【課題】  楽器本体の高さや奥行きの長さを短くすることにより小型化でき、かつ熱による電子回路の劣化等を防止することのできる電子鍵盤楽器を提供すること。【解決手段】  電子鍵盤楽器Ｍを、鍵盤部１１が設けられた鍵盤取付フレーム部１０と、鍵盤取付フレーム部１０の下面後部に連結され下部にペダル２２ａ，２２ｂ，２２ｃが設けられた背面フレーム部２０と、発熱を伴う電源トランス２７やアンプ２９等からなる電子回路とで構成した。そして、電子回路を背面フレーム部２０の背面本体部２０ａの内面縦向きに設置して、背面本体部２０ａの下部に、穴部２３ａ，２３ｂ，２３ｃ，２４ａ，２４ｂ，２４ｃおよび通気孔２６を設け、鍵盤取付フレーム部１０に通気孔１９ａ，１９ｂ，１９ｄ等を設けた。【選択図】  図６
2005202008.tif 000002
【特許請求の範囲】
【請求項１】
鍵盤が設けられた鍵盤取付フレーム部と、前記鍵盤取付フレーム部の下面後部に連結され下部または連結部を介して下方に足操作子が設けられた背面フレーム部とからなり内部に空間部が形成されたフレーム部本体と、
発熱を伴う電子回路とを備えた電子鍵盤楽器であって、
前記電子回路を前記背面フレーム部内に設置して、前記背面フレーム部の下部側部分と、前記フレーム部本体における前記電子回路の設置場所よりも上方部分とに、それぞれ外部に通じる通気孔を設けたことを特徴とする電子鍵盤楽器。
【請求項２】
前記電子回路を所定の平面上に形成して、前記平面上の電子回路を、平面を前記背面フレーム部の内壁面に沿わせて縦向きに配置した請求項１に記載の電子鍵盤楽器。
【発明の詳細な説明】
【技術分野】
【０００１】
本発明は、作動によって発熱を伴う電子回路を備えた電子鍵盤楽器に関する。
【背景技術】
【０００２】
従来から、鍵盤を備えた電子鍵盤楽器が演奏に用いられており、この電子鍵盤楽器には、電源部、トランスおよび各種の回路基板等で構成される電子回路が設けられている。このような電子鍵盤楽器の電子回路は、一般に楽器本体における鍵盤の下部や鍵盤の後方に設けられている。このため、楽器本体における鍵盤の下部側部分が大きくなったり、鍵盤の後部側部分が大きくなったりして、結果的に電子鍵盤楽器全体が大きくなっている。
【０００３】
また、電子鍵盤楽器を小型化するために、楽器本体の後部を支持する背面フレーム部内の底板上に、電源部とトランスを設け、背面フレーム部内における電源部等の上方に、コンピューター基板および鍵やペダルの駆動用回路基板が装備されたパネルを設置した電子鍵盤楽器もある（例えば、特許文献１）。
【特許文献１】実開平５―５２８９３号公報
【発明の開示】
【０００４】
しかしながら、前述した背面フレーム部内に電源部等の電子回路を設けた電子鍵盤楽器を演奏する際には、電源部やトランスは熱を発生し、その熱は背面フレーム部内を上昇していく。このため、前述した電子鍵盤楽器においては、電源部等の上方に設置されたパネルは背面フレーム部内を上昇してくる熱によって加熱される。また、このパネルに設置された駆動用回路基板等の中には、熱に弱い部品も含まれている。前述した電子鍵盤楽器では、この熱に弱い部品が加熱されることによって劣化したり短寿命化したりするという問題が生じている。
【０００５】
本発明は、前述した問題に対処するためになされたもので、その目的は、楽器本体の高さや奥行きの長さを短くすることにより小型化でき、かつ熱による電子回路の劣化等を防止することのできる電子鍵盤楽器を提供することである。
【０００６】
前述した目的を達成するため、本発明にかかる電子鍵盤楽器の構成上の特徴は、鍵盤が設けられた鍵盤取付フレーム部と、鍵盤取付フレーム部の下面後部に連結され下部または連結部を介して下方に足操作子が設けられた背面フレーム部とからなり内部に空間部が形成されたフレーム部本体と、発熱を伴う電子回路とを備えた電子鍵盤楽器であって、電子回路を背面フレーム部内に設置して、背面フレーム部の下部側部分と、フレーム部本体における電子回路の設置場所よりも上方部分とに、それぞれ外部に通じる通気孔を設けたことにある。
【０００７】
このように構成した本発明の電子鍵盤楽器においては、背面フレーム部内に電子回路を設置しているため、鍵盤取付フレーム部における鍵盤の下部側部分が大きくなったり、鍵盤の後部側部分が大きくなったりすることを防止できる。この結果、電子鍵盤楽器全体を小型化することができる。また、フレーム部本体の上下部分にそれぞれ通気孔を設けているため、両通気孔からの空気の入出によって、フレーム部本体内の空気の流通が可能になる。この場合、下方の通気孔から背面フレーム部内に空気が流れ込み、上方の通気孔から外部に出て行く気流が生じることが好ましい。
【０００８】
これによって、電子回路が発生する熱は、気流とともに上方の通気孔から効率よく外部に出て行く。このため、背面フレーム部内に熱がこもって電子回路を構成する各種の回路基板や他の機器等が高温に加熱されることが防止される。この結果、電子回路に熱に弱い部品等が含まれていても適正な状態を維持したまま作動する。
【０００９】
この場合、上方の通気孔は電子回路の設置場所よりも上方に設け、下方の通気孔は電子回路の設置場所よりも下方に設けてもよく、上方に設けてもよい。また、上方の通気孔は、背面フレーム部に設けてもよいし、鍵盤取付フレーム部に設けてもよく、気流が生じる両通気孔の間またはその近傍に電子回路が設置されて、電子回路から発生する熱が気流によって外部に放出される位置関係になっていればよい。
【００１０】
また、足操作子は、背面フレーム部の下部に設けてもよいし、背面フレーム部の下面に連結部を取り付け、その連結部の下端部に設けてもよい。この足操作子を背面フレーム部の下部に設ける場合には、ペダルで構成される足操作子を前方に向かって突出させるための突き出し口を下方の通気孔として利用することができる。さらに、一般に、電子鍵盤楽器の背面には、電源取り入れ口が設けられているが、この電源取り入れ口の周縁部に本発明に係る通気孔を設けてもよい。
【００１１】
また、本発明にかかる電子鍵盤楽器の他の構成上の特徴は、電子回路を所定の平面上に形成して、平面上の電子回路を、平面フレーム部の内壁面に沿わせて縦向きに配置したことにある。
【００１２】
これによると、背面フレーム部の奥行き方向の長さを短くできるため、さらに電子鍵盤楽器の小型化が図れる。また、下方の通気孔を電子回路の設置場所よりも下方に設けた場合には、下方の通気孔から背面フレーム部内に入った空気は、電子回路の表面に沿って上昇するため電子回路から発生する熱を効率よく上方の通気孔から外部に放出することができる。この場合の所定の平面は、平面板で構成してもよいし、仮想平面であってもよい。所定の平面を仮想平面とした場合は、電子回路を構成する各機器は、平面フレーム部の内壁面に平面状に並べて配置された状態になる。
【発明を実施するための最良の形態】
【００１３】
以下、本発明の一実施形態を図面を用いて説明する。図１ないし図３は、本発明にかかる電子鍵盤楽器Ｍを示している。この電子鍵盤楽器Ｍは、鍵盤取付フレーム部１０と、鍵盤取付フレーム部１０の後部中央を支持する背面フレーム部２０と、鍵盤取付フレーム部１０の前部両側をそれぞれ支持する脚部３５ａ，３５ｂとを備えている。また、鍵盤取付フレーム部１０の背面には、背面フレーム部２０の前後方向における略中央部の両側部と上端部とを囲んだ門形のパネル３６が取り付けられている。
【００１４】
鍵盤取付フレーム部１０は、図１および図２の状態における左右方向の長さが長く、高さ方向の長さが短くなった箱状に形成され、上面における手前側に、電子鍵盤楽器Ｍを演奏するための複数の鍵からなる鍵盤部１１が設けられている。そして、鍵盤取付フレーム部１０の上面における鍵盤部１１の後方に、複数の操作子等を備えた操作パネル部１２が設けられている。また、鍵盤取付フレーム部１０の上面における操作パネル部１２の後方に、鍵盤部１１および操作パネル部１２よりも高さが高くなった天板部１３が形成され、天板部１３の前端面に、折り畳み式の蓋部１４がヒンジ連結されている。
【００１５】
蓋部１４は、後蓋１４ａと前蓋１４ｂとで構成され、蓋部１４を閉じた状態での天板部１３の前端面上端縁部と後蓋１４ａの後端面上端縁部とが蝶番１５ａによって連結され、後蓋１４ａの前端面上端縁部と前蓋１４ｂの後端面上端縁部とが蝶番１５ｂによって連結されている。このため、図３の状態から、後蓋１４ａと前蓋１４ｂとを重ねた状態で蝶番１５ａを中心として前方に回転させ、さらに、前蓋１４ｂを蝶番１５ｂを中心として前方に回転させることにより、鍵盤部１１および操作パネル部１２を覆うことができる。
【００１６】
また、後蓋１４ａの下面後端縁部における中央に、譜面立て１６ａが蝶番を介して折り畳み可能な状態で設けられ、前蓋１４ｂの下面前端部における中央に、蓋部１４を開いて折り畳んだ際に蓋部１４を起立状態に支持する支持部１６ｂが設けられている。また、図４ないし図６に、電子鍵盤楽器Ｍから、天板部１３、蓋部１４およびパネル３６を取り外すとともに、鍵盤取付フレーム部１０および背面フレーム部２０の内部を露呈させた状態を示している。
【００１７】
図６に示したように、鍵盤取付フレーム部１０内における鍵盤部１１および操作パネル部１２の下方には、押鍵操作による押鍵力等を検出するための検出装置１７ａや、鍵の上下限位置を制限したり押鍵された鍵を上限位置に復帰させたりするための復帰機構１７ｂ等が設置されている。検出装置１７ａは、アクチュエーター、センサ、スイッチ基板等で構成され、復帰機構１７ｂは、復帰ばね、鍵の下限位置や上限位置を規制するストッパ等で構成されている。さらに、鍵盤取付フレーム部１０内には、発熱を伴わないか、または発熱量の少ない回路基板等が設置されている。
【００１８】
また、鍵盤取付フレーム部１０の後面における略中央には、図７に示したように凹部１０ａが形成され、後部両側の角部には、図４に示したように凹部１０ｂ，１０ｃが形成されている。凹部１０ａは、電子鍵盤楽器Ｍを他の機器と接続するための接続コード１８を引き出すために設けられており、凹部１０ａ前面を構成する前壁１８ａには、複数の小孔からなる通気孔１９ａが設けられている。また、凹部１０ｂ，１０ｃの側面を構成する側壁１８ｂ，１８ｃには、複数の小孔からなる通気孔１９ｂ（側壁１８ｃの通気孔は図示せず。）がそれぞれ設けられている。さらに、鍵盤取付フレーム部１０の底面部１０ｄの後部にも複数の小孔からなる通気孔１９ｄが設けられている。そして、底面部１０ｄにおける凹部１０ａの前側部分に開口１０ｅが設けられている。
【００１９】
背面フレーム部２０は、鍵盤取付フレーム部１０の下面における後部中央に、一体的に連結されて、鍵盤取付フレーム部１０の後部を支持しており、左右方向および上下方向に長くなった箱状に形成されている。この背面フレーム部２０は、中央に位置する背面本体部２０ａと、背面本体部２０ａの両側に設けられたスピーカーボックス３０ａ，３０ｂとで構成されている。背面本体部２０ａは略直方体の箱状に形成されており、その前壁部２１ａは左右方向の中央が前側に向かって湾曲した曲面状の板で構成されている。そして、背面本体部２０ａの下部には、本発明の足操作子としてのペダル２２ａ，２２ｂ，２２ｃが水平方向に一定間隔を保って設けられている。
【００２０】
背面本体部２０ａの前壁部２１ａの下部には、穴部２３ａ，２３ｂ，２３ｃが形成されており、ペダル２２ａ，２２ｂ，２２ｃは、前部側部分をそれぞれ穴部２３ａ，２３ｂ，２３ｃから前方に突出させて上下に移動可能な状態で取り付けられている。また、背面本体部２０ａの後壁部２１ｂの下部におけるペダル２２ａ，２２ｂ，２２ｃの後端部に対応する部分にも穴部２４ａ，２４ｂ，２４ｃが設けられて、背面本体部２０ａの下部の内部は、穴部２３ａ，２３ｂ，２３ｃ，２４ａ，２４ｂ，２４ｃによって通気可能になっている。また、背面本体部２０ａの下部におけるペダル２２ａ，２２ｂ，２２ｃの近傍には、ペダルセンサや駆動用回路基板等（図示せず）が設けられている。
【００２１】
また、背面本体部２０ａの後壁部２１ｂにおける穴部２４ａ，２４ｂ，２４ｃの上側部分には、凹部からなる電源取り入れ口２５が形成され、その上部前壁面部２５ａに複数の小孔からなる通気孔２６が形成されている。そして、電源取り入れ口２５の下部には、外部から電力を取り込むための接続装置２５ｂが取り付けられている。また、背面本体部２０ａの後壁部２１ｂの内面に、電源トランス２７、回路基板２８、アンプ２９等の作動により熱を発生する各種の機器が取り付けられている。この電源トランス２７等によって、本発明に係る電子回路が構成される。
【００２２】
スピーカーボックス３０ａ，３０ｂは左右対称に形成された直方体の箱体で構成されており、背面本体部２０ａの両側に設置されている。そして、スピーカーボックス３０ａ，３０ｂ内には、それぞれ各鍵や操作子の操作に応じた楽音や効果音を発生するためのスピーカー３１ａ，３１ｂが設置されている。また、スピーカーボックス３０ａ，３０ｂの上面部は、鍵盤取付フレーム部１０の底面部１０ｄで構成されており、底面部１０ｄに形成された通気孔１９ｄは、スピーカー３１ａ，３１ｂの音響調整のために設けられている。また、スピーカーボックス３０ａ，３０ｂの前面部は、音を通過させやすくするために多孔板で構成されている。
【００２３】
そして、スピーカーボックス３０ａ，３０ｂの外側面における下端部には、アングルからなる取付け用金具３２ａ，３２ｂが取り付けられている。また、背面本体部２０ａの下面後端部における両端部と中央部とにそれぞれ、支持突起３３ａ，３３ｂ，３３ｃが設けられている。この支持突起３３ａ，３３ｂ，３３ｃによって、背面本体部２０ａは、下面が直接床面に接触しないように支持されている。
【００２４】
脚部３５ａ，３５ｂは、それぞれ鍵盤取付フレーム部１０の前部における両端部に固定されて、鍵盤取付フレーム部１０の前部を支持している。この脚部３５ａ，３５ｂの上部側部分における内側部および後側部は、補強部材３６ａ，３６ｂを介して鍵盤取付フレーム部１０の下面に連結されており、これによって、脚部３５ａ，３５ｂはより強固に鍵盤取付フレーム部１０に固定されている。脚部３５ａ，３５ｂの下端面にも支持突起３７ａ，３７ｂが設けられており、電子鍵盤楽器Ｍの本体は、支持突起３３ａ，３３ｂ，３３ｃ，３７ａ，３７ｂによって、床面との間に所定の隙間を設けた状態で設置される。また、電子鍵盤楽器Ｍが備える電子回路や各種の機器等は、配線（図示せず）によって接続されている。
【００２５】
このように構成された電子鍵盤楽器Ｍを演奏する際には、まず、接続装置２５ｂに電源を接続するとともに、接続コード１８を演奏に必要な機器、例えばコントローラ等に接続して電子鍵盤楽器Ｍを演奏可能な状態にする。つぎに、蓋部１４を開いて、鍵盤部１１および操作パネル部１２を露呈させる。そして、スイッチをオン状態にして、鍵盤部１１の各鍵、操作パネル部１２の操作子およびペダル２２ａ，２２ｂ，２２ｃ等を操作する。これによって、電子鍵盤楽器Ｍは、鍵盤部１１、操作パネル部１２の各種の操作子およびペダル２２ａ，２２ｂ，２２ｃ等が有する機能に応じて、スピーカー３１ａ，３１ｂから楽音、効果音などを発生する。
【００２６】
この場合、穴部２３ａ，２３ｂ，２３ｃ，２４ａ，２４ｂ，２４ｃおよび通気孔２６から背面本体部２０ａの内部に空気が入り、その空気は、電源トランス２７等が設置された背面本体部２０ａ内の空間を通過していく。そして、空気は、背面本体部２０ａの上部に設けられた開口１０ｅから鍵盤取付フレーム部１０内に入ったのちに、鍵盤取付フレーム部１０の背面に設けられた通気孔１９ａまたは鍵盤取付フレーム部１０の側面に設けられた通気孔１９ｂから外部に流れて行く。このため、電源トランス２７やアンプ２９等で構成される電子回路から発生される熱は、空気流に吸収されて効率よく外部に放出される。
【００２７】
この結果、背面本体部２０ａの内部に設置された電子回路を構成する各機器等が加熱されて劣化したり作動不良が生じたりすることを防止できる。また、鍵盤取付フレーム部１０内に熱がこもることもないため、鍵盤取付フレーム部１０内に設置された各機器が熱によって劣化したり作動不良が生じたりすることもない。このため、電子鍵盤楽器Ｍの各部分は適正な状態で作動し、スピーカー３１ａ，３１ｂから適正な楽音、効果音などが発生する。
【００２８】
このように、本実施形態に係る電子鍵盤楽器Ｍでは、背面本体部２０ａの後壁部２１ｂの内面に沿って電子回路を構成する電源トランス２７、回路基板２８およびアンプ２９等を設置しているため、鍵盤取付フレーム部１０内に設置する機器が減少し鍵盤取付フレーム部１０を小型化できる。また、背面本体部２０ａの前後方向の厚みを小さくすることができるため、電子鍵盤楽器Ｍ全体を小型化することができる。さらに、背面本体部２０ａの前壁部２１ａが、左右方向の中央部が前方に向って湾曲した曲面状に形成されているため、電子回路を構成する各機器の設置スペースや空気の流路を十分に確保することができる。これによって、各機器が狭い場所に近接状態で配置されて各機器間に熱がこもったり、空気が流れ難くなったりすることが防止される。
【００２９】
また、背面本体部２０ａの下部に、穴部２３ａ，２３ｂ，２３ｃ，２４ａ，２４ｂ，２４ｃおよび通気孔２６を設け、背面本体部２０ａの上方に位置する鍵盤取付フレーム部１０に通気孔１９ａ，１９ｂを設けている。したがって、空気は、背面本体部２０ａの下部に形成された種々の穴部から背面本体部２０ａの内部に入り、鍵盤取付フレーム部１０に形成された種々の通気孔から外部へと出て行く。このため背面本体部２０ａおよび鍵盤取付フレーム部１０の内部には、複数の空気流路が生じ、ファン等を設けなくとも背面本体部２０ａ内で発生する熱は、自然に空気流とともに外部に放出される。
【００３０】
さらに、穴部２３ａ，２３ｂ，２３ｃは、背面本体部２０ａの前壁部２１ａに設けられ、通気孔２６、通気孔１９ａ，１９ｂは、それぞれ電源取り入れ口２５や凹部１０ａ等の凹部の中に形成されている。したがって、背面を壁面に接近させた状態で、電子鍵盤楽器Ｍを配置しても背面本体部２０ａ内には、空気流が確実に生じるようになり、電子回路が発生する熱は、気流とともに上方の通気孔から効率よく外部に出て行く。このため、電子鍵盤楽器Ｍの設置場所に拘わらず、背面本体部２０ａ内に熱がこもることが防止され、電子鍵盤楽器Ｍが備える各機器に熱に弱い部品等が含まれていても各機器は適正な状態を維持したまま作動する。
【００３１】
また、他の実施形態として、スピーカーボックス３０ａ，３０ｂと背面本体部２０ａとの間の仕切り壁部に通気孔（図示せず）を設けることができる。これによると、背面本体部２０ａ内の空気の一部は、スピーカーボックス３０ａ，３０ｂと背面本体部２０ａとの間の仕切り壁部に設けられた通気孔を通過してスピーカーボックス３０ａ，３０ｂ内に入ったのちに、通気孔１９ｄから鍵盤取付フレーム部１０内に入っていく。そして、通気孔１９ａ，１９ｂから外部に出て行く。したがって、放熱効果が向上するようになり、通気孔１９ｄは、音質調整だけでなく通気性を良くするための機能も発揮するようになる。
【００３２】
また、本発明に係る電子鍵盤楽器Ｍは、前述した実施形態に限定するものでなく、適宜変更実施が可能である。例えば、前述した実施形態では、熱を吸収した空気が外部に放出される通気孔１９ａ，１９ｂを鍵盤取付フレーム部１０に設けているが、この上方の通気孔は、背面本体部２０ａの上部に設けてもよい。また、穴部２３ａ，２３ｂ，２３ｃ，２４ａ，２４ｂ，２４ｃおよび通気孔２６で構成された下方の通気孔は、電子回路よりも下方に設けることが好ましいが、電子回路と同程度の高さの位置や、やや高い位置に設けることもできる。下方の通気孔を電子回路よりも高い位置に設けても熱は上方に向かって流れていくため、空気流が生じていれば外部に放出される。
【００３３】
また、前述した実施形態では、背面本体部２０ａの下端部は床部まで延びているが、背面本体部の下端部を床部の上方に位置させ、その下方に、連結部を介してペダル等を取り付けることもできる。この場合、下方の通気孔は背面本体部の下部に設ける。その他、本発明に係る電子鍵盤楽器の各部分の形状等の構成については、本発明の技術的範囲内で変更することができる。
【図面の簡単な説明】
【００３４】
【図１】本発明の一実施形態に係る電子鍵盤楽器を示す平面図である。
【図２】図１の電子鍵盤楽器の正面図である。
【図３】図１の電子鍵盤楽器の側面図である。
【図４】図１の電子鍵盤楽器からパネル、天板部および蓋部を取り外した状態を示す平面図である。
【図５】図４に示した電子鍵盤楽器における背面フレーム部の内部を示す正面図である。
【図６】図５の６−６断面図である。
【図７】電子鍵盤楽器の背面図である。
【符号の説明】
【００３５】
１０…鍵盤取付フレーム部、１１…鍵盤部、１９ａ，１９ｂ，１９ｄ，２６…通気孔、２０…背面フレーム部、２０ａ…背面本体部、２１ｂ…後壁部、２２ａ，２２ｂ，２２ｃ…ペダル、２３ａ，２３ｂ，２３ｃ，２４ａ，２４ｂ，２４ｃ…穴部、２５…電源取り入れ口、２５ｂ…接続装置、２７…電源トランス、２８…回路基板、２９…アンプ、Ｍ…電子鍵盤楽器。
【図１】
2005202008.tif 000003
【図２】
2005202008.tif 000004
【図３】
2005202008.tif 000005
【図４】
2005202008.tif 000006
【図５】
2005202008.tif 000007
【図６】
2005202008.tif 000008
【図７】
2005202008.tif 000009